(57)【要約】【課題】  ワインボトル等の栓に把手を付設して、施栓状態にあってはその把手がボトルの口頸部を保護し、又開栓時にはその把手利用で容易に栓を引抜くことが可能とした。【解決手段】  ボトル口頸部内へ嵌合させる栓４上面へ蝶番５を介してＬ字形状の左右一対の把手６，６の基端を連結し、それ等把手の基端側板部6aは栓上面へ載置させ、把手の他方板部6bはボトル口頸部２の左右側面に沿って垂下させた。【選択図】  図１
2005335806.tif 000002
【特許請求の範囲】
【請求項１】
ボトル口頸部内へ嵌合させる栓４上面の左右方向中間部へ、蝶番５を介してＬ字形状をなす左右一対の把手６，６の基端を付設して、それ等把手の基端側板部6aをボトル栓上面へ載置しかつ他方板部6bはボトル口頸部２の左右外側面に沿って垂下させることが可能に形成した
ことを特徴とする把手付きボトル栓。
【請求項２】
上記把手付きボトル栓３を、合成樹脂材で一体成形した
ことを特徴とする把手付きボトル栓。
【発明の詳細な説明】
【技術分野】
【０００１】
本発明は主としてワインボトル用の把手付きボトル栓に関する。
【背景技術】
【０００２】
ワインボトル用の栓を抜き易くするため、その栓を逆円錐形状としてその大径部を上方に位置させて嵌合させることが知られており（特許文献１）、又ボトル口頸部の上部外面に雄ねじを周設し、又キャップの上部内へコルクを充填し、該キャップの周壁下部を上記口頸部の上部外面へ螺合締め付けすることで、口頸部の上端開口面を上記コルクの下端面へ密閉させることが知られている（特許文献２）。
【特許文献１】特開２００１−１３０６０１号公報
【特許文献２】特開２００１−７２０９７号公報
【発明の開示】
【発明が解決しようとする課題】
【０００３】
上記特許文献１の場合は従来のコルク栓の場合と同様、スクリュー状の栓抜きを必要とする面倒があり、又特許文献２の場合はボトル口部の密閉が不充分となるおそれがある。    
【０００４】
本発明は、ボトル口部の密閉を従来と同様に栓を密嵌させて行うことで確実とすると共に、該ボトル口部密閉状態にあってはその栓上面へ蝶番を介して付設された左右一対のＬ字状把手がボトル口部を保護し、又その栓引抜き時には、それ等両把手を蝶番を中心として起立させることで栓引抜き用の把手が形成され、該把手利用で容易に開栓することが容易であるよう設けたものである。
【課題を解決するための手段】
【０００５】
第１の手段としてボトル口頸部内へ嵌合させる栓４上面の左右方向中間部へ、蝶番５を介してＬ字形状をなす左右一対の把手６，６の基端を付設して、それ等把手の基端側板部6aをボトル栓上面へ載置しかつ他方板部6bはボトル口頸部２の左右外側面に沿って垂下させることが可能に形成した。
【０００６】
第２の手段として、上記第１の手段を有すると共に上記把手付きボトル栓３を、合成樹脂材で一体成形した。
【発明の効果】
【０００７】
請求項１記載の構成とすることで、栓４密嵌状態にあっては、図１等が示すようにボトル口部上面をＬ字状把手６の基端側板部6aが、又ボトル口頸部の左右外面をＬ字状把手の他半板部6bがそれぞれ覆うこととなり、よってボトル口部等に他物が当る等してもその衝撃を少なくすることが出来、又開栓の際は、図示のように蝶番５を中心として両Ｌ字状把手６は起立して他方板部6bは側外方へほぼ水平に開くこととなり、よってそれ等両他方板部6bの基端下面へ指をかけて上方へ引くことで、栓４を容易に口頸部２内から引抜きできる。又栓引抜き後も把手付きボトル栓は全く損傷していないから再度施栓して使用することが出来る。
【０００８】
請求項２記載のようにすることで、上記請求項１の効果を有するほか、把手付きボトル栓の成形、特に蝶番５は栓と把手との連結部を薄肉ヒンジとするだけで蝶番とすることができるからその成形が容易でコストを廉価とすることが出来る。
【発明を実施するための最良の形態】
【０００９】
以下図面について説明する。まず図１から図３が示す第１実施形態について説明すると、１はワイン用等のボトルであり、胴部上端から肩部を介して口頸部２を起立しており、該口頸部の上部内へは把手付きボトル栓３の栓４を緊密に嵌着させている。該栓上面の左右方向中心には、蝶番５を介して左右一対のＬ字型の把手６，６の基端を付設しており、それ等把手は基端側の板部6aを栓４の一半上面およびボトル口頂面の一半上へ載置させ、かつ他方板部6bをボトル口頸部２の左右側面へ沿って垂下させている。図２が示すようにそれ等一対の把手は蝶番を中心として起立させることで、前後方向からみてほぼＴ字形状となるよう設けるもので、該状態で左右方向へ突出する他方板部6b,6b 基端下面へ指を掛け、上方へ引くことで、栓４をボトル口頸部２内から抜出し可能とする。
【００１０】
図４〜図６は第２実施形態を示す。該実施形態は把手付きボトル栓３を合成樹脂材で一体成形した例を示す。栓４上面の左右方向中心には図６が示すように突条７が前後方向へ隆設され、該突条７上端の左右両部からは肉薄部８，８を介してＬ字状把手６の基端側板部6a,6a を左右外方へ突出し、これ等基端側板部外端から他方板部6b,6b を口頸部の左右外側面へ沿って垂下させている。上記肉薄部が蝶番５を形成する。
【００１１】
上記基端側板部6a,6a は図６が示すように半円形状に形成するとよく、このようにすることで、上記突条７部分を除く、栓４上面および口頸部上端面上を基端側板部6aで覆合させて保護させることが出来、又栓４上面の外周とボトル口頂面内周との間へ埃等が付着することを防止することが出来る。
【００１２】
尚該実施形態において、栓４は下端面開口の筒状としているが、第１実施形態の場合と同様、中実としてもよい。尚このように下端面開口の筒状とすることで、把手付きボトル栓の成形材料を節減でき、又栓の筒壁は弾性変形し易く、よって栓４の抜き出しが容易となる。
【００１３】
ボトル口頸部の左右外側面に沿って垂下する把手の他方板部6b,6b がボトル輸送時等に他物に触れて起立することを防止するためには、図７が示すように、他方板部6b,6b を口頸部外面へ沿って垂下させた状態でそれ等他方板部の下部部分外面へ輪ゴム９等を嵌めてもよく、又図８が示すようにその輪ゴムに代えて、一方把手の他方板部6bの下部前後両側から突出させた細帯10,10 先端に透孔を穿設しておき、その透孔を他方把手の他方板部6bの下部外面から突設したピン外面へ嵌合させるようにしてもよい。
【図面の簡単な説明】
【００１４】
【図１】本発明の栓付きボトルの縦断面図である。
【図２】図１栓引抜き途中を示す断面図である。
【図３】図１ボトルの平面図ある。
【図４】第２実施形態で示す、栓付きボトルの断面図である。
【図５】図４の栓引抜き途中を示す断面図である。
【図６】図４ボトルの平面図である。
【図７】図４ボトルの輸送時等の状態を示す要部正面図である。
【図８】図７の変形例を示す要部正面図である。
【符号の説明】
【００１５】
１  ボトル                          ２  口頸部
３  把手付きボトル栓                ４  栓
５  蝶番                            ６  把手
6a  基端側板部                      6b  他方板部
７  突条                            ８  肉薄部
【図１】
2005335806.tif 000003
【図２】
2005335806.tif 000004
【図３】
2005335806.tif 000005
【図４】
2005335806.tif 000006
【図５】
2005335806.tif 000007
【図６】
2005335806.tif 000008
【図７】
2005335806.tif 000009
【図８】
2005335806.tif 000010